(57)【要約】【課題】ユニットバスと躯体間のスペースに関わらず、配管を良好に取り回すことができるユニットバスの温水配管構造を提供する。【解決手段】防水パン２の下方から天井裏へ温水配管７を導く構造であって、一対の壁３，３が直交する室内側コーナー部に、温水配管７用の配管スペースＳをカバー１１で隠蔽させて設け、この配管スペースＳに対応する防水パン２と天井の部位には、温水配管７を通す通し孔９ａを設けて構成する。【選択図】                図２
2004332468.tif 000002
【特許請求の範囲】
【請求項１】
防水パンの下方から天井裏へ温水配管を導く構造であって、一対の壁が直交する室内側コーナー部に、温水配管用の配管スペースを隠蔽可能に設け、該配管スペースに対応する防水パンと天井の部位には、温水配管を通す通し孔を設けるとともに、前記防水パンには、床下からの配管を引掛け可能な部位を設けたことを特徴とするユニットバスの温水配管構造。
【請求項２】
前記配管スペース内部の配管を別配管とし、該別配管の端部や、防水パン，天井にも配管ジョイント部材を設けたことを特徴とする請求項１に記載のユニットバスの温水配管構造。
【請求項３】
前記配管スペース付近の防水パンや天井や壁に点検口を設けたことを特徴とする請求項１または請求項２に記載のユニットバスの温水配管構造。
【発明の詳細な説明】
【０００１】
【発明の属する技術分野】
この発明は、ユニットバスの温水配管構造に関するものである。
【０００２】
【従来の技術】
従来、図７に示すように、ユニットバス１は、底面を構成する防水パン２の周囲に複数枚の壁パネル３，３，３を建て付け、壁パネル３，３，３の上面に天井パネル４を取り付けて構成されており、この天井パネル４の裏側に浴室暖房機５を設置する場合、浴室暖房機５が電気式の場合は特に問題はないが、この浴室暖房機５が温水式である場合には、建物躯体６とユニットバス１の壁パネル３間の狭い隙間内に、温水配管７を取り回し、この温水配管７の一端を浴室暖房機５に接続するとともに、温水配管７の他端を、屋外等に設けられた熱源機８に接続する必要があった。
【０００３】
【特許文献１】
特許第３００２９６２号公報
【０００４】
【発明が解決しようとする課題】
特に近年においては、ユニットバス１内のスペースを広く確保するために、ユニットバス１のサイズが大きくなり、ユニットバス１の壁パネル３と躯体６間に殆ど隙間がなくなり、温水配管７を床下から天井に向けて取り回し配管することが極めて困難となるという問題点があった。
【０００５】
【課題を解決するための手段】
本発明は、上記従来の問題点に鑑み案出したものであって、ユニットバスと躯体間のスペースに関わらず、温水配管を良好に取り回すことのできる構造を提供せんことを目的とし、その第１の要旨は、防水パンの下方から天井裏へ温水配管を導く構造であって、一対の壁が直交する室内側コーナー部に、温水配管用の配管スペースを隠蔽可能に設け、該配管スペースに対応する防水パンと天井の部位には、温水配管を通す通し孔を設けるとともに、前記防水パンには、床下からの配管を引掛け可能な部位を設けたことである。
また、第２の要旨は、前記配管スペース内部の配管を別配管とし、該別配管の端部や防水パン，天井にも配管ジョイント部材を設けたことである。
また、第３の要旨は、前記配管スペース付近の防水パンや天井や壁に点検口を設けたことである。
【０００６】
【発明の実施の形態】
以下、本発明の実施例を図面に基づいて説明する。
図１は、ユニットバスの室内側のコーナー部分を示す斜視図である。
ユニットバスの底面を構成する防水パン２の外周には、上方へ立ち上げて立上片２ａが形成され、立上片２ａの上端には、略水平状に外側に延びる壁載置面２ｂが形成されており、この壁載置面２ｂ上に壁パネル３，３が建て付けられて、コーナー部で壁パネル３，３は直交状に連結されている。
【０００７】
本例では、防水パン２のコーナー部にコーナー部材９が設けられており、このコーナー部材９は、防水パン２と一体で形成したものであっても、また別体の部材で構成したものであっても良い。
このコーナー部材９の上面には、通し孔９ａが形成されており、またコーナー部材９の前面には、手を入れて作業等ができる点検口９ｂが開口されている。
また、天井パネル４にも、通し孔９ａと対応する位置に、通し孔４ａが形成されている。
また、一方側の壁パネル３のコーナー側には、縦方向に間隔をおいて、複数の配管固定部材１０を取り付けておくことができる。
【０００８】
この配管固定部材１０は、例えば可撓性樹脂で形成されており、壁パネル３に固定される固定片１０ａから、湾曲状に把持片１０ｂが形成されたものであり、この把持片１０ｂと固定片１０ａ間に、温水配管７を嵌め込んで固定できるように構成されている。その状態を図２に示す。
即ち、配管固定部材１０，１０に固定された温水配管７は、良好に振動が防がれ、一方側の壁パネル３に固定されるものであり、この一方側の壁パネル３を防水パン２の壁載置面２ｂ上に建て付けた後に、他方側の壁パネル３を直交状に建て付けて施工することができるものである。
また、温水配管７は、防水パン２のコーナー部材９の通し孔９ａを通して床下側から配管することができ、また、天井パネル４の通し孔４ａを通して天井裏に配管することができるものである。
【０００９】
なお、一対の壁パネル３，３が直交するコーナー部に温水配管７を配管した後に、室内側からカバー１１が取り付けられて、このカバー１１により、温水配管７及び配管固定部材１０，１０を隠蔽して、スッキリとした設置状態を得ることができるものである。なお、このカバー１１により隠蔽されるコーナー部分は、三角形状の配管スペースＳを形成している。
【００１０】
なお、防水パン２を設置する時に、図３に示すように、床下に配管される床下配管１２を良好に引掛けておき、配管施工を良好に行うことができるものとなる。即ち、床下配管１２の先端にはジョイント部材１３を設けておき、このジョイント部材１３を、コーナー部材９の通し孔９ａに下方側より予め通しておき、この通し孔９ａに連続状に引掛け孔９ｃを形成させておけば、この引掛け孔９ｃにジョイント部材１３を良好に引掛けておくことができるものとなる。
【００１１】
なお、配管スペースＳ内に縦方向に配管される配管を、別配管として構成しておくことができるものである。
更に図４に示すように、直交する壁パネル３，３のコーナー部に対応した三角形状、即ち配管スペースＳに対応した三角形状のコーナー壁材１５を工場で製作して、このコーナー壁材１５内に、予め温水配管７を構成する樹脂管７ａを埋設状に配管しておくことができるものである。
コーナー壁材１５は、前記カバー１１を兼用する化粧鋼板またはタイル板１５ａを室内側に有し、その裏側は発泡ウレタン部１５ｂが三角形状に一体形成されており、この発泡ウレタン部１５ｂ内に樹脂管７ａを埋設させておくことができるものであり、樹脂管７ａの上端及び下端には、それぞれジョイント部材１６を予め取り付けておくことができる。
【００１２】
このようなコーナー部材１５を予め工場で製作しておき、現場に搬入して、容易にユニットバスの室内のコーナー部に設置して、配管施工することができるものとなる。
即ち、図５に示すように、コーナー壁材１５内に埋設された樹脂管７ａの上端及び下端のそれぞれのジョイント部材１６，１６に接合させることのできるジョイント部材１３，１８を、床下配管１２の先端、及び天井裏配管１７の先端に取り付けておき、樹脂管７ａの上端のジョイント部材１６に対しジョイント部材１８を嵌め込んで、連結クリップ２２により抜け止めし、良好に樹脂管７ａと天井裏配管１７を連結することができるものである。
【００１３】
また、防水パン２には、ジョイント部材１９を固定状に予め取り付けておき、このジョイント部材１９に対し、コーナー壁材１５を下方へ落とし込んで、樹脂管７ａの下端のジョイント部材１６を連結することができ、この部分にも連結クリップ２２を嵌め込んで抜け止めすることができ、更に、ジョイント部材１９に対し、防水パン２の下方側から床下配管１２のジョイント部材１３を連結させて、連結クリップ２２で固定し、現場において配管施工を容易に行うことができるものとなる。
【００１４】
なお、点検口９ｂ内に手を入れることで、ユニットバスの設置後にも、床下配管１２を取り回すことができるものとなり、施工やメンテナンスが楽なものとなる。更に、天井４にも施工やメンテナンス用の点検口を設けておいても良く、更には壁パネル３にも点検口を設けておいても良い。
なお、点検口９ｂには、ビス等で着脱可能に蓋２１を被せておくことができる。
【００１５】
なお、コーナー壁材１５の下端と防水パン２間の隙間を隠すために、室内側から別体カバー２０を被せて、この別体カバー２０によりジョイント部材１９の部分を隠蔽させ、スッキリとした設置状態を得ることができるものである。
なお、このようなコーナー壁材１５内に、予め樹脂管７ａを埋設しておく構造では、樹脂管７ａを保護するための鞘管等の保護管や保温材が不要となる。
【００１６】
【発明の効果】
本発明は、防水パンの下方から天井裏へ温水配管を導く構造であって、一対の壁が直交する室内側コーナー部に、温水配管用の配管スペースを隠蔽可能に設け、配管スペースに対応する防水パンと天井の部位には、温水配管を通す通し孔を設けるとともに、防水パンには、床下からの配管を引掛け可能な部位を設けたことにより、防水パンの設置時に床下配管を予め引掛けておき、配管スペース内に配管される温水配管と良好に接続することができ、温水配管を防水パンの下方から天井裏へ良好に導いて配管することができ、ユニットバスと躯体間のスペースに関わらず、温水配管を良好に取り回しすることができる効果を有する。
【００１７】
また、配管スペース内部の配管を別配管とし、別配管の端部や防水パン，天井にも配管ジョイント部材を設けたことにより、浴室内のコーナー部の配管スペース内に別配管を配管し、これに対し、防水パンの下方より床下配管を接続し、また天井裏から天井裏配管を接続して、配管施工を楽に行うことができる効果を有する。
【００１８】
また、配管スペース付近の防水パンや天井や壁に点検口を設けたことにより、ユニットバス設置後にも、点検口より床下配管を取り回すことができ、施工やメンテナンスが楽になる効果を有する。
【図面の簡単な説明】
【図１】第１実施例のユニットバスの室内側から見たコーナー部の斜視構成図である。
【図２】コーナー部に温水配管を配管した状態の斜視構成図である。
【図３】防水パンの引掛け孔に床下配管を予め引掛けておく構成の分解説明図である。
【図４】工場で予め生産されたコーナー壁材の要部斜視構成図である。
【図５】コーナー壁材を施工する際の配管接続状態の分解側面構成図である。
【図６】配管の連結状態の側面構成図である。
【図７】従来、躯体とユニットバス間の狭い隙間に温水配管を施工する概略構成図である。
【符号の説明】
１    ユニットバス
２    防水パン
２ａ    立上片
２ｂ    壁載置面
３    壁パネル
４    天井パネル
４ａ    通し孔
５    浴室暖房機
６    躯体
７    温水配管
７ａ    樹脂管
９    コーナー部材
９ａ    通し孔
９ｂ    点検口
１０    配管固定部材
１０ａ    固定片
１０ｂ    把持片
１１    カバー
１２    床下配管
１３    ジョイント部材
１５    コーナー壁材
１５ａ    化粧鋼板
１５ｂ    発泡ウレタン部
１６    ジョイント部材
１７    天井裏配管
１８    ジョイント部材
１９    ジョイント部材
２０    別体カバー
２１    蓋
２２    連結クリップ
Ｓ    配管スペース
【図１】
2004332468.tif 000003
【図２】
2004332468.tif 000004
【図３】
2004332468.tif 000005
【図４】
2004332468.tif 000006
【図５】
2004332468.tif 000007
【図６】
2004332468.tif 000008
【図７】
2004332468.tif 000009